(57)【要約】【課題】証紙保持部材の取り外しを不能とすることによって、証紙の付け替えを防止し得るパチンコ遊技機を提供する。【解決手段】証紙１９がその裏面に設けられた粘着剤層３５を介して貼付される証紙貼付面部２４を前面に備えた板状の証紙保持部材２０Ａに、該証紙保持部材２０Ａの裏面から突出する塑性変形可能な筒状部２６を備えた複数の金属製連結部材２５Ａを配設する一方、遊技領域の周囲に固定された周辺部材１６の、証紙保持部材２０Ａが取り付けられる所定部位に、前記各金属製連結部材２５Ａの筒状部２６を夫々挿通可能な挿通孔３０を形成し、各挿通孔３０に挿通させた金属製連結部材２５Ａの筒状部２６の先端部を周辺部材１６の裏面側で外径方向に拡開するように塑性変形させて、証紙保持部材２０Ａを周辺部材１６に離脱不能に取り付けるようにした。【選択図】図３
2011156210.tif 000002
【特許請求の範囲】
【請求項１】
遊技盤面に、遊技球が転動流下する遊技領域が形成されるとともに、該遊技領域の周辺部に周辺部材が固定されてなるパチンコ遊技機にあって、
証紙がその裏面に設けられた粘着剤層を介して貼付される証紙貼付面部を前面に備えた板状の証紙保持部材に、該証紙保持部材の裏面から突出する塑性変形可能な筒状部を備えた複数の金属製連結部材が配設される一方、周辺部材の、証紙保持部材が取り付けられる所定部位に、前記各金属製連結部材の筒状部を夫々挿通可能な挿通孔が形成されてなり、各挿通孔に挿通させた金属製連結部材の筒状部の先端部を周辺部材の裏面側で外径方向に拡開するように塑性変形させることにより、証紙保持部材を周辺部材に離脱不能に取り付けるようにしたことを特徴とするパチンコ遊技機。
【請求項２】
金属製連結部材の筒状部の後端に板状フランジ部が設けられる一方、証紙保持部材の証紙貼付面部に、前記板状フランジが証紙貼付面部と略面一となる状態で嵌入される嵌合凹部が形成され、証紙保持部材に該嵌合凹部と連通し、金属製連結部材の筒状部が挿通される透孔が形成されていることを特徴とする請求項１記載のパチンコ遊技機。
【請求項３】
金属製連結部材の筒状部の側周部に軸線方向に沿う細溝が周方向に複数形成されていることを特徴とする請求項１又は請求項２記載のパチンコ遊技機。
【発明の詳細な説明】
【技術分野】
【０００１】
本発明は、遊技盤の前面側に証紙貼付面部を備えるパチンコ遊技機に関する。
【背景技術】
【０００２】
従来のパチンコ遊技機は、遊技盤の前面側に各種の証紙を貼付する証紙貼付面部が設けられる。証紙は、通常、粘着剤層を裏面に備えた粘着シールとして供給され、剥離紙から剥がして証紙貼付面部に一枚ずつ貼付される。ここで、こうした証紙は貼り替えを防止するために、証紙貼付面部に一度貼付したら剥離困難となるように、引張りに弱い基材と強力な粘着剤とで構成されているため、貼付作業で失敗すると、貼り直しが難しく、貴重な証紙が無駄となってしまうことが多い。
【０００３】
このような不具合を解消するために、近年では、まず、証紙を板状の証紙保持部材に貼付した後に、該証紙保持部材を遊技盤の前面側に係合させるようにしている（特許文献１参照）。すなわち、従来のパチンコ遊技機１ａでは、図７（Ａ）に示すように、遊技盤５の前面中央に形成される遊技領域９の周囲に各種の周辺部材１６，１７，１８が固定されており、その中の一つの周辺部材１６に証紙保持部材２０Ｃを取り付ける取付部２８が配設される。そして、証紙保持部材２０Ｃは、図７（Ｂ）に示すように、取付部２８と係合する係合爪２１，２２が形成された板状部材であり、その前面に設けられた証紙貼付面部２４に証紙１９を貼付するようになっている。かかる構成にあっては、作業台の上などで、証紙１９を証紙保持部材２０Ｃに貼付する作業を集中的に行えるため、組立て済みのパチンコ遊技機１ａに証紙１９を直接貼付するよりも失敗が少なく、貼付ミスによる証紙のロスを低減でき、また、作業時間も短縮できる。
【先行技術文献】
【特許文献】
【０００４】
【特許文献１】特開２００５−３２９０２９号公報
【発明の概要】
【発明が解決しようとする課題】
【０００５】
ところで、上記証紙１９は、証紙の付け替えを防止するために、一般的に、引張りに弱い基材と強力な粘着剤とで構成されて、剥離しようとすると証紙１９が破損するようになっている。しかしながら、上記従来構成では、証紙１９が貼付される証紙保持部材２０Ｃは、係止爪２１，２２によって周辺部材１６と係合しているだけであり、証紙保持部材２０Ｃを周辺部材１６から取り外せば、証紙１９を剥離・破損させることなく簡単に付け替えできるため、証紙１９の不正使用を助長し易いものとなっているという問題点があった。
【０００６】
本発明は、かかる現状に鑑みてなされたものであり、証紙保持部材の取り外しを不能とすることによって、証紙の付け替えを防止し得るパチンコ遊技機の提供を目的とする。
【課題を解決するための手段】
【０００７】
本発明は、遊技盤面に、遊技球が転動流下する遊技領域が形成されるとともに、該遊技領域の周辺部に周辺部材が固定されてなるパチンコ遊技機にあって、証紙がその裏面に設けられた粘着剤層を介して貼付される証紙貼付面部を前面に備えた板状の証紙保持部材に、該証紙保持部材の裏面から突出する塑性変形可能な筒状部を備えた複数の金属製連結部材が配設される一方、周辺部材の、証紙保持部材が取り付けられる所定部位に、前記各金属製連結部材の筒状部を夫々挿通可能な挿通孔が形成されてなり、各挿通孔に挿通させた金属製連結部材の筒状部の先端部を周辺部材の裏面側で外径方向に拡開するように塑性変形させることにより、証紙保持部材を周辺部材に離脱不能に取り付けるようにしたことを特徴とするパチンコ遊技機である。
【０００８】
ここで、筒状部の先端部は成形用金型を用いて外径方向に拡開するように塑性変形させ得る。該成形用金型は、筒状部の先端部が外嵌される位置決め突部と、該位置決め突部を囲繞するようにして形成された断面円弧状に窪む成形溝部とを備えており、筒状部の先端部を位置決め突部に外嵌した状態で、該筒状部を成形用金型に押圧することにより、成形溝部によって筒状部の先端部を外径方向に拡開させることができる。また、上記周辺部材としては、主として、遊技領域を区画するレール部材や、装飾目的で配設される装飾部材などが挙げられるが、これらに限定されるものではなく、遊技盤の前面にあって、遊技領域の周囲に固定される部材であればよい。また、証紙保持部材と周辺部材は過激な力が加えられると破損する合成樹脂によって形成され得る。
【０００９】
上記パチンコ遊技機にあって、金属製連結部材の筒状部の後端に板状フランジ部が設けられる一方、証紙保持部材の証紙貼付面部に、前記板状フランジが証紙貼付面部と略面一となる状態で嵌入される嵌合凹部が形成され、証紙保持部材に該嵌合凹部と連通し、金属製連結部材の筒状部が挿通される透孔が形成されている構成が提案される。
【００１０】
また、金属製連結部材の筒状部の側周部に軸線方向に沿う細溝が周方向に複数形成されている構成が提案される。
【発明の効果】
【００１１】
本発明は、上述したように、証紙がその裏面に設けられた粘着剤層を介して貼付される証紙貼付面部を前面に備えた板状の証紙保持部材に、該証紙保持部材の裏面から突出する塑性変形可能な筒状部を備えた複数の金属製連結部材が配設される一方、周辺部材の、証紙保持部材が取り付けられる所定部位に、前記各金属製連結部材の筒状部を夫々挿通可能な挿通孔が形成されてなり、各挿通孔に挿通させた金属製連結部材の筒状部の先端部を周辺部材の裏面側で外径方向に拡開するように塑性変形させることにより、証紙保持部材を周辺部材に離脱不能に取り付けるようにしたから、先ず、証紙貼付面部に証紙を貼付し、しかる後、証紙保持部材の裏面から突出された金属製連結部材の筒状部を、周辺部材の挿通孔に挿通させた状態で、その先端部を周辺部材の裏面側で外径方向に拡開するように塑性変形させることによって、証紙が証紙貼付面部に貼付された証紙保持部材を周辺部材に取り付けることができる。ここで、周辺部材の裏面側で先端部が外径方向に拡開するように塑性変形された筒状部によって証紙保持部材が周辺部材に連結されていることによって、証紙保持部材の取り外しが不能となり、無理に分離させると、証紙保持部材や周辺部材が破損することとなる。これにより、証紙を証紙保持部材ごと他のパチンコ遊技機に付け替えて使用する不正使用を確実に防止することができる。
【００１２】
また、金属製連結部材の筒状部の後端に板状フランジ部が設けられる一方、証紙保持部材の証紙貼付面部に、前記板状フランジが証紙貼付面部と略面一となる状態で嵌入される嵌合凹部が形成され、証紙保持部材に該嵌合凹部と連通し、金属製連結部材の筒状部が挿通される透孔が形成されている構成にあっては、証紙貼付面部の嵌合凹部に金属製連結部材の板状フランジ部を嵌入し、かつ証紙保持部材の透孔に金属製連結部材の筒状部を挿通した状態で、証紙貼付面部と板状フランジとに亘って証紙を貼付し、しかる後、周辺部材の挿通孔に挿通させた金属製連結部材の筒状部の先端部を周辺部材の裏面側で外径方向に拡開するように塑性変形させることにより、証紙が貼付された証紙保持部材を周辺部材に離脱不能に取り付けることができる。ここで、板状の証紙保持部材は、嵌合凹部が形成されている部分の板厚が他の部分に比して薄く、強度が低下していることにより、証紙保持部材を周辺部材から無理に分離させると、強度が低い嵌合凹部の板厚部分が破壊されて金属製連結部材とともに周辺部材側に残留する状態となり、この時、該金属製連結部材の板状フランジ部と証紙保持部材の証紙貼付面部とに亘って貼付されていた証紙が破断することとなる。これにより、証紙の再使用を確実に防止することができる。
【００１３】
また、金属製連結部材の筒状部の側周部に軸線方向に沿う細溝が周方向に複数形成されている構成にあっては、筒状部の先端部に、外径方向に拡開する塑性変形を容易に生じさせることができる。
【図面の簡単な説明】
【００１４】
【図１】第一実施例にかかるパチンコ遊技機１の斜視図である。
【図２】（Ａ）は周辺部材１６の下部と証紙保持部材２０Ａの分離状態の斜視図、（Ｂ）は金属製連結部材２５Ａを備えた証紙保持部材２０Ａの裏面側の斜視図である。
【図３】（Ａ）は証紙保持部材２０Ａに証紙１９を貼付した状態の横断面図、（Ｂ）は証紙１９を貼付した証紙保持部材２０Ａを周辺部材１６に取り付けた状態の横断面図である。
【図４】金属製連結部材２５Ａの他の保持手段を示す要部の横断面図である。
【図５】（Ａ）は第二実施例にかかる証紙保持部材２０Ｂと金属製連結部材２５Ｂの構成を示す横断面図、（Ｂ）は証紙保持部材２０Ｂに証紙１９を貼付した状態の横断面図である。
【図６】（Ａ）は証紙１９を貼付した証紙保持部材２０Ｂを周辺部材１６に取り付けた状態の横断面図、（Ｂ）は証紙保持部材２０Ｂを周辺部材１６から無理に分離させた時の作用状態の説明図である。
【図７】（Ａ）は従来の証紙保持部材２０Ｃを備えたパチンコ遊技機１ａの斜視図、（Ｂ）は（Ａ）のＸ部分の拡大図である。
【発明を実施するための形態】
【００１５】
以下に、本発明の第一実施例を、図１〜図３に基づいて説明する。
【００１６】
パチンコ遊技機１は、図１に示すように、遊技島（図示省略）に起立状に取り付けられる木製で長方形状の外枠２と、この外枠２の前面開口部分を覆うように配設される遊技機本体３とを備えてなる。また、遊技機本体３の前面部には前扉６が枢支されている。
【００１７】
遊技機本体３は、略矩形状のアルミ製枠体からなる内枠４を主体とするものであり、外枠２と内枠４とに配設された上下一対のヒンジ部材８によって外枠２の左側縁に脱着可能に枢支されている。
【００１８】
内枠４には、上部から中央部にかけて略矩形の開口部が形成されており、該開口部に略矩形状の遊技盤５が取り付けられている。また、内枠４の前面下部には、遊技球を貯留可能な下皿部材１１が設けられている。下皿部材１１の右隣には、発射ハンドル１３が設けられている。
【００１９】
また、遊技機本体３の前面部に枢支される前扉６は、合成樹脂製の方形状板体であり、前記ヒンジ部材８を介して遊技機本体３の左側縁に枢支されている。前扉６の中央には、透明板１０が装着された略円形の開口部１５が形成されており、該開口部１５を介して、遊技者は遊技盤５を視認できるようになっている。また、開口部１５の下部前面には上皿部材（図示省略）が配設されている。
【００２０】
遊技盤５は合板からなり、その前面の遊技盤面７には遊技球が転動流下することとなる略円形の遊技領域９が中央部に形成されている。該遊技領域９内には遊技釘や入賞装置、液晶装置等の遊技部品が配設され、また、遊技領域９の周囲には、遊技領域９を区画する周辺部材１６，１７，１８が複数配設されている。
【００２１】
かかるパチンコ遊技機１にあって、証紙１９は、遊技盤５の前面側右下部に貼付されることとなる。詳述すると、遊技領域９の右側には、遊技領域９の右側を区画する略円弧状の周辺部材１６が配設されており、この周辺部材１６の前面下部に、証紙１９を貼付した板状の証紙保持部材２０Ａを取り付けるように構成されている。尚、この周辺部材１６は、隣接する周辺部材１７，１８に組み付けられた状態で釘止め等によって遊技盤５に強固に止着されている。また、証紙１９は、引張りに弱い紙基材の裏面に強力な粘着剤が塗布された構成となっている。
【００２２】
証紙保持部材２０Ａは、図２（Ａ）に示すように、矩形平板状に形成されており、その前面に証紙１９が貼付される矩形の証紙貼付面部２４を備えている。証紙保持部材２０Ａは合成樹脂からなり、該証紙保持部材２０Ａには複数の金属製連結部材２５Ａが配設されている。この金属製連結部材２５Ａは、図２（Ｂ）に示すように、塑性変形可能な筒状部２６と、該筒状部２６の一端に連成されたフランジ部２７とを備えている。フランジ部２７は、証紙保持部材２０Ａの成形時に一体形成された係合溝部３６に側方から係合されており、これによって筒状部２６が証紙保持部材２０Ａの裏面から突出されている。また、この筒状部２６の側周部には、軸線に沿う細溝２９が周方向に複数形成されており、該細溝２９によって筒状部２６の先端部に、外径方向に拡開する塑性変形を容易に生じさせることができるようにしている。尚、該細溝２９は、必ずしも必要ではなく、未形成にすることも可能である。
【００２３】
一方、周辺部材１６は合成樹脂からなり、図２（Ａ）に示すように、その下部前面には、証紙保持部材２０Ａを取り付ける矩形状の取付部２８が設けられている。この取付部２８には、前記各筒状部２６に対応する位置に表裏方向に貫通する挿通孔３０が夫々形成されており、該挿通孔３０に筒状部２６を夫々挿通し得るようになっている。また、挿通孔３０は、その前部が径大に形成されており、この径大部３０ａに証紙保持部材２０Ａの係合溝部３６が嵌入されるようになっている。
【００２４】
取付部２８の裏面側には、図３に示すように、成形用金型３１が各挿通孔３０の開口端に臨ませて夫々配設されている。該成形用金型３１は、筒状部２６の先端部を外嵌可能な位置決め突部３２と、該位置決め突部３２を囲繞するようにして形成された断面円弧状に窪む成形溝部３３とを備えており、取付部２８の裏面から突設された固定用爪部３４に嵌合された状態で接着剤や両面テープによって取付部２８の裏面に移動不能に固着されている。また、各成形用金型３１の後端部は遊技盤５の前面に当接されており、これによって、筒状部２６の先端部の塑性変形時に、成形用金型３１に作用する後方への押圧力を遊技盤５で支持し得るようになっている。
【００２５】
かかる構成にあって、図３（Ａ）に示すように、証紙１９を裏面の粘着剤層３５によって証紙保持部材２０Ａの証紙貼付面部２４に貼付した後、証紙保持部材２０Ａの裏面から突出されている各筒状部２６を、周辺部材１６の取付部２８に形成された各挿通孔３０に挿通させて、各筒状部２６の先端を成形用金型３１の位置決め突部３２に外嵌させる。この状態で、各金属製連結部材２５Ａの位置に対応する証紙保持部材２０Ａの前面部分をハンマーで叩打することにより、図３（Ｂ）に示すように、筒状部２６の先端部が断面円弧状の成形溝部３３に沿って外径方向に拡開して塑性変形する。これにより、筒状部２６が挿通孔３０から抜けなくなり、証紙保持部材２０Ａを周辺部材１６の取付部２８に強固に取り付けることができる。ここで、筒状部２６の側周部に軸線に沿う細溝２９（図２（Ｂ）参照）が周方向に複数形成されている場合には、筒状部２６の先端部を外径方向に拡開させる塑性変形を容易に生じさせることができる。尚、証紙保持部材２０Ａの前面部分をハンマーで叩打する場合には、証紙１９の破損を防止するために、ゴム板を介在させたり、ゴムヘッドを備えたハンマーを用いることが好ましい。
【００２６】
そして、このように、周辺部材１６の裏面側で先端部が外径方向に拡開するように塑性変形された筒状部２６によって証紙保持部材２０Ａが周辺部材１６に連結された状態にあっては、証紙保持部材２０Ａの取り外しが不能となり、無理に分離させると、証紙保持部材２０Ａや周辺部材１６が破損するため、証紙１９を証紙保持部材２０Ａごと他のパチンコ遊技機に付け替えて使用する不正使用を確実に防止することができる。
【００２７】
尚、上述した第一実施例では、金属製連結部材２５Ａのフランジ部２７を証紙保持部材２０Ａに一体形成された係合溝部３６に側方から係合することによって、金属製連結部材２５Ａを証紙保持部材２０Ａに保持させて、筒状部２６を証紙保持部材２０Ａの裏面から突出させるようにしているが、金属製連結部材２５Ａの保持手段はこれに限定されるものではなく、図４に示すように、証紙保持部材２０Ａの裏面にフランジ部２７を嵌入し得る凹陥部３７を設けて、該凹陥部３７に嵌入したフランジ部２７を接着剤や両面テープで凹陥部３７に固着することにより、金属製連結部材２５Ａを証紙保持部材２０Ａに保持させるようにすることも可能である。
【００２８】
図５，図６は第二実施例を示し、この第二実施例における金属製連結部材２５Ｂは、図５（Ａ）に示すように、筒状部２６の後端に板状フランジ部２７ａが設けられている。一方、証紙保持部材２０Ｂの証紙貼付面部２４には、前記板状フランジ２７ａを証紙貼付面部２４の前面と略面一となる状態で嵌入し得る嵌合凹部３８が形成されており、さらに、証紙保持部材２０Ｂには、前記嵌合凹部３８と連通し、金属製連結部材２５Ｂの筒状部２６が挿通される透孔３９が形成されている。そして、図５（Ｂ）に示すように、証紙保持部材２０Ｂの透孔３９に金属製連結部材２５Ｂの筒状部２６が挿通されて、該筒状部２６が証紙保持部材２０Ｂの裏面に突出されるとともに、金属製連結部材２５Ｂの板状フランジ２７ａが証紙貼付面部２４の前面と略面一となる状態で嵌合凹部３８に嵌入される。尚、証紙保持部材２０Ｂに対する金属製連結部材２５Ｂの保持は、板状フランジ２７ａを接着剤や両面テープで嵌合凹部３８に固着したり、証紙貼付面部２４に貼付される証紙１９によって金属製連結部材２５Ｂを保持させることができる。その他、第一実施例と同一の構成要素には、第一実施例と同一の符号を付して重複説明を省略する。
【００２９】
かかる構成にあって、図５（Ｂ）に示すように、証紙１９を裏面の粘着剤層３５によって証紙保持部材２０Ｂの証紙貼付面部２４に貼付する。この時、証紙貼付面部２４に形成された嵌合凹部３８に板状フランジ２７ａが証紙貼付面部２４の前面と略面一の状態で嵌入されていることにより、板状フランジ２７ａの前面にも粘着剤層３５によって証紙１９が貼付されることとなる。しかる後、証紙保持部材２０Ｂの裏面から突出されている各筒状部２６を、周辺部材１６の取付部２８に形成された各挿通孔３０に挿通させる。次いで、各筒状部２６の先端を成形用金型３１の位置決め突部３２に外嵌させた状態で、各金属製連結部材２５Ｂの位置に対応する証紙保持部材２０Ｂの前面部分をハンマーで叩打することにより、図６（Ａ）に示すように、筒状部２６の先端部が断面円弧状の成形溝部３３に沿って外径方向に拡開して塑性変形する。これにより、筒状部２６が挿通孔３０から抜けなくなり、証紙保持部材２０Ｂを周辺部材１６の取付部２８に強固に取り付けることができる。
【００３０】
ここで、板状の証紙保持部材２０Ｂは、嵌合凹部３８が形成されている板厚部分３８ａ（図５（Ａ）参照）が他の部分に比して薄く、強度が低下していることにより、上記のように、証紙保持部材２０Ｂを周辺部材１６に強固に取り付けた状態において、証紙保持部材２０Ｂを周辺部材１６から無理に分離させると、図６（Ｂ）に示すように、強度が低い嵌合凹部３８の板厚部分３８ａが破壊されて金属製連結部材２５Ｂとともに周辺部材１６側に残留する状態となり、この時、板状フランジ部２７ａと証紙貼付面部２４とに亘って貼付されていた証紙１９が破断することとなる。これにより、証紙１９の再使用を確実に防止することができる。
【符号の説明】
【００３１】
１  パチンコ遊技機
７  遊技盤面
９  遊技領域
１６  周辺部材
１９  証紙
２０Ａ，２０Ｂ  証紙保持部材
２４  証紙貼付面部
２５Ａ，２５Ｂ  金属製連結部材
２６  筒状部
２７ａ  板状フランジ部
２９  細溝
３０  挿通孔
３５  粘着剤層
３８  嵌合凹部
３９  透孔
【図１】
2011156210.tif 000003
【図２】
2011156210.tif 000004
【図３】
2011156210.tif 000005
【図４】
2011156210.tif 000006
【図５】
2011156210.tif 000007
【図６】
2011156210.tif 000008
【図７】
2011156210.tif 000009